【事件の表示】
　特願２００３−５３９２９８「通信システムにおけるデータ記録」拒絶査定不服審判事件〔平成１５年　５月　１日国際公開、ＷＯ０３／３６９３６、平成１７年　３月　３日国内公表、特表２００５−５０６８０６〕について、次のとおり審決する。
【結　論】
　本件審判の請求は、成り立たない。
【理　由】
１　手続きの経緯・本願発明
　本願は、平成１４年６月１９日の国際出願（パリ条約による優先権主張２００１年１０月２４日、フィンランド（ＦＩ））であって、平成１８年１２月５日に拒絶査定がされ、これに対して平成１９年３月１２日に拒絶査定不服審判が請求され、同年４月６日付で手続補正書が提出されたものである。
　
　本願の発明は、平成１９年４月６日付けの手続補正書により補正された特許請求の範囲の請求項１ないし３３に記載されたものと認められるところ、その請求項１に記載された発明（以下、「本願発明」という。）は、次のとおりのものである。
「【請求項１】
　少なくとも１つのワイヤレスターミナル、無線アクセスネットワークを伴う通信ネットワーク、及び該通信ネットワークに接続されたデータ記憶手段を備えた通信システムにおいてデータを処理するための方法であって、
　少なくとも映像データで構成された生の映像データを、上記ワイヤレスターミナルから上記無線アクセスネットワークを経て上記通信ネットワークへ、上記ワイヤレスターミナルによる前記生の映像データの記憶作業によって遅延させることなくワイヤレスで転送する段階と、
　上記通信ネットワークに接続された上記データ記憶手段に上記生の映像データを記憶する段階と、
　上記通信ネットワークに接続されたユーザターミナルから上記記憶されたデータにアクセスし処理する段階であって、上記記憶されたデータは一定時間間隔に分割されている、前記段階と、
を備えたことを特徴とする方法。」
　
２　引用例
　原審の拒絶の理由に引用された国際公開第０１／４５３８８号（以下、「引用例１」という。）には、次の事項が図面とともに開示されている。
　ア　「Summary of the Invention
　　　The invention comprises image manipluation methods and systems as well as devices for image capture and transmission such as digital cameras. In one embodiment, a method of image manipulation comprises acquiring one or more digital images with a hand-held digital camera; transmitting them to a network address substantially simultaneously with the acquiring, and storing the digital images in a database hosted by a network server associated with the network address. In another embodiment, a method of image manipulation comprises authorizing a portable image acquisition device operator to access a portion of an image database and receiving images from a portable image acquisition device operated by the portable image acquisition device operator automatically and substantially concurrently with image acquisition. The images may then be stored in the image database; and retrieved under the direction of the portable image acquisition device operator after verifying the authorization. 」（第１頁第１６〜２５行）
　
　イ　「Figure 1 illustrates a system for image manipulation which includes a plurality of portable image acquisition devices 12, 14, 16. The image acquisition devices 12, 14, 16 are devices that produce digital data defining an image. The image is typically a two-dimensional digital representation of a document, thing, person, scenery, etc. or a combination of these things which is proximate to the image acquisition device. 
　…（中略）…
　　　The image acquisition devices 12, 14, 16 advantageously include communication circuitry for communicating to a network 18. The connection to the network 18 may in some embodiments comprise a wired connection, but in especially advantageous embodiments of the invention, and as illustrated in Figure 1, the communication circuitry comprises wireless communication circuitry for communicating to the network 18 via a wireless communication infrastructure. In this embodiment, the wireless communication infrastructure be cellular, satellite, digital PCS, or any other known or future developed wireless communication technology. In some embodiments, the image acquisition devices could comprise two separately housed components, one being hand-held, and the other stationary. In this case, the communication link to the network may comprise two parts, one link from the handheld portion to the stationary portion, and a second link from the stationary portion to the network 18. Preferably, one or both of these links is wireless, but this need not be the case in all embodiments of the invention. 
　　　The network 18 may be any type of electronically connected group of computers including, for instance, the following networks: Internet, Intranet, Local Area Networks (LAN) or Wide Area Networks (WAN). In addition, the connectivity within the network 18 may be, for example, remote modem, Ethernet (IEEE 802.3), Token Ring (IEEE 802.5), Fiber Distributed Datalink Interface (FDDI), Asynchronous Transfer Mode (ATM), or any other communication protocol. The computing devices linked to the network 18 may be desktop, server, portable, hand-held, set-top, or any other desired type or configuration. In one advantageous embodiment, the network 18 is the global wide area computer network commonly referred to as the Internet. This is an advantageous implementation when the image acquisition devices are independently owned and operated digital cameras or scanners. In a surveillance camera embodiment, the network 18 will usually be a private LAN. 
　…（中略）…
　　　Connected to the network 18 is a computer system 20 which receives image data from the image acquisition devices 12, 14, 16 via the network 18. The computer system 20 will typically be a network server which includes software for receiving image data and storing the image data in an associated image database. As such, the network server will be assigned a network address for identification during communications between elements of the network 18. Communications from other network connected devices such as the image acquisition devices 12, 14, 16, to the computer system 20 will include the network address of the computer system 20 as part of the communication so that the computer system 20 is identified as the recipient of the data. When the network 18 is the global Internet, the network address is an IP address which may, at least in part, route the image data to an e-mail account, a web-site, or other Internet tool. The computer system 20 may also host image processing software for arithmetically and logically manipulating the image data received from the plurality of image acquisition devices 12, 14,16. This software may include pixel processing routines for equalization, color correction, or any of a wide variety of feature enhancement algorithms. 
　　　Also connected to the network 18 is another computer system 22. The computer system 22 will typically comprise a personal computer (PC), such as are available from International Business Machines, Compaq Computer Corporation, Sun Microsystems, and many others. These computer systems normally include at least one microprocessor, a display screen, a keyboard, and a storage medium such as a hard disk. A printer is also advantageously locally associated with the computer system 22. The computer system 22 includes software for communicating with the network server 20 via the network 18. When the network comprises the Internet, such software is commonly referred to as a web-browser. The e-mail account, web site, or other tool may be available to the web browser through a domain name (e. g. www. site. com) which maps to the IP address of the network server 20. 
　　　The image acquisition devices, 12, 14, 16, the image storage and processing computer 20, and the image retrieval and printing computer 22 thus form a distributed image manipulation system which has its components connected through the network 18. This image manipulation system operates by initially transmitting image data acquired by the image acquisition devices 12, 14, 16 to the image storage and processing computer system 20 via the network 18, generally by routing the image data to a pre-defined network address stored in the image acquisition devices 12, 14, 16. After the image data is stored in the computer system 20, it may be retrieved by the image retrieval and printing computer system 22, where the images can be displayed and/or printed. 
　　　In one advantageous embodiment, the image acquisition devices transmit image data substantially as the image data is acquired, and perform only minimal data storage and image processing functions. This provides several significant advantages. One is that the image acquisition devices 12, 14, 16 are less expensive because a large amount of memory and computational power for image storage and processing need not be provided. In addition, image security is improved because the images are almost immediately stored on the image database associated with the image storage and processing computer system 20. This eliminates the risk of losing the image acquisition device or associated memory modules and thus losing a large number of acquired images at the same time. The wireless communication link connection to the network 18 is advantageous in these embodiments because the camera, scanner, etc. can be operated without being tied by wire or cable to any other computer entities. It can be carried around and used in a completely conventional manner as far as the user of the device is concerned.
　　　Preferably, image data transfer is fast enough to be able to transmit image data at an average rate at least as fast as image data is acquired, although it will be appreciated that temporary differences in data acquisition and transmission rates can be tolerated with internal data buffering as described below. Accordingly, image data compression is generally advantageous prior to transmission to reduce the amount of data required to be sent with each image. In some embodiments, a sequence of images may be acquired by the image acquisition device in rapid succession, such as 1, 2, 10, or even 100 images per second. In these embodiments, the transmission data rate should be able to accommodate these image sequences. Image compression algorithms designed for motion pictures, such as the well known MPEG standard, may be used in these applications to provide for a high compression ratio. 
　　　Thus, in one advantageous embodiment, a central image repository is created for hundreds or thousands of individual digital camera users without any inconvenience or device handling complications to the users themselves. Each camera is pre-programmed to download image data as images are acquired. Acquired images may be retrieved at the user's convenience using their home computer. The users need never worry about having sufficient memory to acquire more images or worry about the whereabouts of disks, memory modules, or other types of storage devices. If desired, some cameras may be pre-programmed with image destinations other than the image storage and processing computer 20. For instance, some users may wish to program their cameras with their own e-mail account, personal web-site, or other internet tool or location. 
　　　Referring now to Figure 2, one method of operation of a distributed image manipulation system is illustrated. First, at block 28, an image acquisition device operator, an individual digital camera owner, for example, may be authorized to access a portion of an image database associated with the image storage and processing computer 20. As the digital camera is used to acquire images, at block 30 the acquired images are downloaded automatically and substantially concurrently to the image storage and processing computer system 20, and at block 32 the images are stored there in the database portion accessible to the image acquisition device operator. As described above, the digital camera operator may therefore take an unlimited amount of pictures with the camera without purchasing, carrying, securing, or in any way dealing with the memory required for image storage. The risk of misplacing the images and loss by theft or the like is also eliminated. 
　　　Upon returning home, the camera operator's home personal computer may comprise the image retrieval and printing computer system 22. By entering a selected domain name to a web browser, the image storage and processing computer 20 and its associated image database are accessed. At block 34, by using a password or the like, the authorization to access the portion of the database in which the images are stored may be verified. After verification, the user may be allowed to retrieve the images previously acquired. The images may then be viewed, specific desired image processing algorithms may be performed under the direction of the operator, and the images may be printed with a printer associated with the computer system 22.」（第２頁第２１行〜第５頁第３２行）
　
　前掲ア及びイの記載によると引用例１には、
「無線通信インフラストラクチャ（a wireless communication infrastructure）経由で、ネットワーク（the network 18）と通信するための無線通信回路を含む画像取得装置（portable image acquisition devices 12, 14, 16）、前記ネットワークに接続され、該ネットワーク経由で前記画像取得装置からの画像データを受信して、画像データベースに記憶するネットワークサーバ（the computer system 20）、及び前記ネットワーク経由で前記ネットワークサーバと通信して、前記画像データベースの画像データにアクセスするパーソナルコンピュータ（the computer system 22）を備えた画像操作システム（image manipulation system）においてデータを処理するための方法であって、前記画像取得装置から前記無線通信インフラストラクチャを経て前記ネットワークへ、毎秒１００画像もの連続画像データを転送するため、ＭＰＥＧ規格のような動画（motion pictures）用の画像圧縮アルゴリズムでデータを圧縮するとともに、データバッファリング（data buffering）により、画像データの取得と同じ速さの平均レートで画像データの転送を可能とし、前記ネットワークサーバの前記画像データベースに前記連続画像データを記憶する段階と、前記パーソナルコンピュータにより、前記画像データベースに記憶された前記連続画像データにアクセスして、表示、印刷する段階を備えた方法」の発明（以下、「引用発明」という。）が記載されていると認められる。
　
３　対比
　本願発明と引用発明とを対比する。
　引用発明の「画像取得装置」は、「無線通信インフラストラクチャ」経由で、「ネットワーク」と通信するための「無線通信回路」を含むから、本願発明の「ワイヤレスターミナル」に相当するといえる。また、前記「無線通信インフラストラクチャ」及び前記「画像取得装置」の前記「無線通信回路」は、本願発明と同様の「無線アクセスネットワーク」を構成しているといえるから、前記「ネットワーク」は「無線アクセスネットワーク」を伴うものといえ、本願発明の「通信ネットワーク」に相当する。そして、引用発明の「ネットワークサーバ」における「画像データベース」は、前記「ネットワーク」に接続されているものといえるから、本願発明の「データ記憶手段」に相当するといえ、システム全体として見ると、引用発明の「画像操作システム」は、本願発明の「通信システム」に相当するものといえる。
　さらに、引用発明は、「前記画像取得装置から前記無線通信インフラストラクチャを経て前記ネットワークへ、毎秒１００画像もの連続画像データを転送するため、ＭＰＥＧ規格のような動画（motion pictures）用の画像圧縮アルゴリズムでデータを圧縮するとともに、データバッファリング（data buffering）により、画像データの取得と同じ速さの平均レートで画像データの転送を可能とし、前記ネットワークサーバの前記画像データベースに前記連続画像データを記憶する段階」を有するものであって、ここでいう「連続画像データ」は、「動画用」の「画像圧縮アルゴリズム」で圧縮されるものであるから、本願発明の「少なくとも映像データで構成された生の映像データ」に相当することは明らかであり、また、「データの記憶作業」である「データバッファリング」により、遅延することなく無線で転送されるものともいえるから、引用発明と本願発明はともに、「少なくとも映像データで構成された生の映像データを、ワイヤレスターミナルから無線アクセスネットワークを経て上記通信ネットワークへ、上記ワイヤレスターミナルによる生の映像データの記憶作業によって遅延させることなくワイヤレスで転送する段階」及び「通信ネットワークに接続されたデータ記憶手段に生の映像データを記憶する段階」を備える点で共通する。
　そして、引用発明の「パーソナルコンピュータ」は、前記「ネットワーク」経由で前記「ネットワークサーバ」と通信して、前記「画像データベース」の画像データにアクセスし表示や印刷処理をするものであり、本願発明の「ユーザターミナル」に相当するといえるから、引用発明と本願発明はともに、「上記通信ネットワークに接続されたユーザターミナルから上記記憶されたデータにアクセスし処理する段階」を備える点で共通する。
　
　以上を踏まえると、両者の一致点、相違点は以下のとおりである。
　
【一致点】
「少なくとも１つのワイヤレスターミナル、無線アクセスネットワークを伴う通信ネットワーク、及び該通信ネットワークに接続されたデータ記憶手段を備えた通信システムにおいてデータを処理するための方法であって、
　少なくとも映像データで構成された生の映像データを、上記ワイヤレスターミナルから上記無線アクセスネットワークを経て上記通信ネットワークへ、上記ワイヤレスターミナルによる前記生の映像データの記憶作業によって遅延させることなくワイヤレスで転送する段階と、
　上記通信ネットワークに接続された上記データ記憶手段に上記生の映像データを記憶する段階と、
　上記通信ネットワークに接続されたユーザターミナルから上記記憶されたデータにアクセスし処理する段階とを備えた方法。」
　
【相違点】
　本願発明における「データ記憶手段」に記憶されたデータは、「一定時間間隔に分割されている」のに対して、引用発明における「画像データベース」に記憶されたデータの態様については、具体的な特定がされていない点。
　
４　当審の判断
　相違点について
　動画像データの編集等を行う際に、所望のシーンへのアクセスを容易にするために、一定時間間隔のクリップに分割しておくことは、ＭＰＥＧ規格に代表される動画像データを記憶する際に用いられる常套技術である。
　
　例えば、原査定の拒絶理由に引用された特開平１１−１０３４４１号公報に、
「【００４５】映像信号が送られたクリップ分割手段２は、操作者の指定に基づいて、映像をある一定の間隔（例えば１秒間隔）で分割する方法、または、シーンの切れ目を自動的に検出して分割する方法でクリップを生成する。　…（中略）…　」
と記載されている。
　
　したがって、引用発明においても、所望のシーンへのアクセスを容易にするために、前記常套技術を用いて、「データ記憶手段」に記憶されたデータを、「一定時間間隔に分割されている」ものとすることは、当業者が容易に想到し得たことといえる。
　
　また、本願発明の奏する効果は、引用例１に記載された発明及び常套技術から想定できる程度のものにすぎず、格別なものとはいえない。
　
５　むすび
　以上のとおり、本願発明は、引用例１に記載された発明及び常套技術に基づいて当業者が容易に発明をすることができたものであるから、特許法第２９条第２項の規定により特許を受けることができない。
　したがって、本願は、他の請求項について検討するまでもなく、拒絶すべきものである。
　よって、結論のとおり審決する。